(57)【特許請求の範囲】
【請求項１】
シートがセットされ、装着位置及び非装着位置に移動可能な複数の給紙トレイと、
複数の前記給紙トレイのそれぞれの移動に応じて検知信号を出力するセンサと、
前記装着位置に位置する複数の前記給紙トレイの内、いずれかの給紙トレイにセットされるシートを給紙する給紙機構と、
前記給紙機構によって給紙されたシートに画像を印刷する印刷機構と、
情報画像を表示する表示機構と、
受け付けた印刷データをジョブ単位で処理するコントローラと、を備え、
前記コントローラは、
前記ジョブに従って、前記給紙機構に複数の前記給紙トレイのうちのいずれかの給紙トレイからシートを給紙させて、前記給紙機構が給紙したシートに前記印刷機構に印刷させる印刷処理と、
前記印刷処理を実行している間に、前記センサから出力される検知信号に基づき、前記給紙機構により給紙されている給紙トレイとは異なる他の給紙トレイの移動を検知すると、未完了の前記ジョブに含まれるシート設定を示す情報画像を前記表示機構に表示させる表示処理と、を実行し、
前記コントローラは、前記印刷処理を実行している間に、前記センサが、前記他の給紙トレイが前記装着位置から前記非装着位置への移動したことに対応する検知信号を出力したことに応じて、前記表示処理を実行する、印刷装置。
【請求項２】
シートがセットされ、装着位置及び非装着位置に移動可能な複数の給紙トレイと、
複数の前記給紙トレイのそれぞれの移動に応じて検知信号を出力するセンサと、
前記装着位置に位置する複数の前記給紙トレイの内、いずれかの給紙トレイにセットされるシートを給紙する給紙機構と、
前記給紙機構によって給紙されたシートに画像を印刷する印刷機構と、
情報画像を表示する表示機構と、
受け付けた印刷データをジョブ単位で処理するコントローラと、を備え、
前記コントローラは、
前記ジョブに従って、前記給紙機構に複数の前記給紙トレイのうちのいずれかの給紙トレイからシートを給紙させて、前記給紙機構が給紙したシートに前記印刷機構に印刷させる印刷処理と、
前記印刷処理を実行している間に、前記センサから出力される検知信号に基づき、前記給紙機構により給紙されている給紙トレイとは異なる他の給紙トレイの移動を検知すると、未完了の前記ジョブに含まれるシート設定を示す情報画像を前記表示機構に表示させる表示処理と、を実行し、
前記コントローラは、前記表示処理において、
前記他の給紙トレイにセットされている前記シートの種類が、前記未完了のジョブに対応している場合には、前記他の給紙トレイの移動を検知すると、前記シートの種類の変更不要を指示する情報画像を前記表示機構に表示させるように構成されている、印刷装置。
【請求項３】
シートがセットされ、装着位置及び非装着位置に移動可能な複数の給紙トレイと、
複数の前記給紙トレイのそれぞれの移動に応じて検知信号を出力するセンサと、
前記装着位置に位置する複数の前記給紙トレイの内、いずれかの給紙トレイにセットされるシートを給紙する給紙機構と、
前記給紙機構によって給紙されたシートに画像を印刷する印刷機構と、
情報画像を表示する表示機構と、
受け付けた印刷データをジョブ単位で処理するコントローラと、を備え、
前記コントローラは、
前記ジョブに従って、前記給紙機構に複数の前記給紙トレイのうちのいずれかの給紙トレイからシートを給紙させて、前記給紙機構が給紙したシートに前記印刷機構に印刷させる印刷処理と、
前記印刷処理を実行している間に、前記センサから出力される検知信号に基づき、前記給紙機構により給紙されている給紙トレイとは異なる他の給紙トレイの移動を検知すると、未完了の前記ジョブに含まれるシート設定を示す情報画像を前記表示機構に表示させる表示処理と、を実行し、
前記コントローラは、前記表示処理において、
前記他の給紙トレイにセットされている前記シートの種類が、前記未完了のジョブに対応している場合には、前記他の給紙トレイの移動を検知すると、前記シートの種類の変更を指示する情報画像を前記表示機構に表示させないように構成されている、印刷装置。
【請求項４】
シートがセットされ、装着位置及び非装着位置に移動可能な複数の給紙トレイと、
複数の前記給紙トレイのそれぞれの移動に応じて検知信号を出力するセンサと、
前記装着位置に位置する複数の前記給紙トレイの内、いずれかの給紙トレイにセットされるシートを給紙する給紙機構と、
前記給紙機構によって給紙されたシートに画像を印刷する印刷機構と、
情報画像を表示する表示機構と、
受け付けた印刷データをジョブ単位で処理するコントローラと、を備え、
前記コントローラは、
前記ジョブに従って、前記給紙機構に複数の前記給紙トレイのうちのいずれかの給紙トレイからシートを給紙させて、前記給紙機構が給紙したシートに前記印刷機構に印刷させる印刷処理と、
前記印刷処理を実行している間に、前記センサから出力される検知信号に基づき、前記給紙機構により給紙されている給紙トレイとは異なる他の給紙トレイの移動を検知すると、未完了の前記ジョブに含まれるシート設定を示す情報画像を前記表示機構に表示させる表示処理と、を実行し、
前記コントローラは、前記表示処理において、
前記他の給紙トレイにセットされている前記シートの種類が、前記未完了のジョブに対応していない場合には、前記他の給紙トレイの移動を検知すると、前記シートの種類の変更を指示する情報画像を前記表示機構に表示させるように構成されている、印刷装置。
【請求項５】
前記コントローラは、前記表示処理において、
前記受け付けた前記ジョブを完了するのに必要なシート量が、前記給紙機構により給紙されている給紙トレイにセットされるシート量よりも多いと判断し、且つ、前記ジョブに従って前記印刷処理を実行している間に前記他の給紙トレイの移動を検知すると、前記ジョブに含まれる前記シート設定が示すシートの種類に変更を指示する情報画像を前記表示機構に表示させるように構成されている、請求項４に記載の印刷装置。
【請求項６】
前記コントローラは、
複数の前記ジョブを受け付けると、受け付けた順に前記ジョブに従って前記印刷処理を実行し
前記印刷処理を行っている前記複数の前記ジョブのうちの先行ジョブを完了する前に、前記給紙機構により給紙されている給紙トレイ内のシートが無くなった場合に、前記先行ジョブに従って前記給紙機構に前記他の給紙トレイからシートを給紙させて、前記給紙機構が給紙したシートに前記印刷機構に印刷させ、
さらに、前記表示処理において、前記他の給紙トレイから給紙されたシートに印刷する前記印刷処理の印刷中に、前記他の給紙トレイ以外のいずれかの給紙トレイの移動を検知すると、前記先行ジョブに後続する後続ジョブに含まれるシート設定を示す情報画像を前記表示機構に表示させるように構成されている、請求項４に記載の印刷装置。
【請求項７】
前記コントローラは、
複数の前記ジョブを受け付けると、受け付けた順に前記ジョブに従って前記印刷処理を実行し、
前記表示処理において、
前記他の給紙トレイにセットされている前記シートの種類が、現在前記印刷処理を行っている先行ジョブの次に受け付けた後続ジョブに対応していないと判断し、且つ、前記先行ジョブの印刷に従って前記印刷処理を実行している間に前記他の給紙トレイの移動を検知すると、前記後続ジョブに含まれる前記シート設定が示すシートの種類に変更を指示する情報画像を前記表示機構に表示するように構成されている、請求項４に記載の印刷装置。
【請求項８】
前記コントローラは、前記表示処理において、
前記未完了のジョブが複数ある場合には、最も早期に受信したジョブに含まれるシート設定を示す情報画像を前記表示機構に表示させるように構成されている、請求項１〜７のいずれか１項に記載の印刷装置。
【発明の詳細な説明】
【技術分野】
【０００１】
本発明は、印刷装置に関する。
【背景技術】
【０００２】
複写機又は複写機等の機能を有する複合機は、一般的に複数の給紙トレイ（用紙カセット）を備えている。ユーザがサイズの異なる用紙を入れ替えるために、ユーザによって用紙カセットが開けられたときに、表示部に用紙サイズ設定を促すメッセージを表示させる制御部を備える、画像記録装置が知られている（例えば、特許文献１参照）。
【０００３】
特許文献１に開示されている画像記録装置では、用紙カセットに収容する用紙のサイズを変更する際に、表示部に用紙サイズ設定を促すメッセージを表示させることにより、ユーザが、用紙サイズ設定を失念せず画像記録装置に対して行うことができる。
【先行技術文献】
【特許文献】
【０００４】
【特許文献１】特開２００３−１０７９６３号公報
【発明の概要】
【発明が解決しようとする課題】
【０００５】
しかしながら、上述した特許文献１に開示されている画像記録装置では、単に、用紙サイズの設定を表示させるだけであり、ユーザビリティにかける場合がある。
【０００６】
本発明は、上記課題を解決するためのもので、受け付けたジョブに応じたシート（用紙）設定を表示することにより、ユーザビリティに優れた印刷装置を提供することを目的とする。
【課題を解決するための手段】
【０００７】
上記従来の課題を解決するために、本発明に係る印刷装置は、シートがセットされ、装着位置及び非装着位置に移動可能な複数の給紙トレイと、複数の前記給紙トレイのそれぞれの移動に応じて検知信号を出力するセンサと、前記装着位置に位置する複数の前記給紙トレイの内、いずれかの給紙トレイにセットされるシートを給紙する給紙機構と、前記給紙機構によって給紙されたシートに画像を印刷する印刷機構と、情報画像を表示する表示機構と、受け付けた印刷データをジョブ単位で処理するコントローラと、を備え、前記コントローラは、前記ジョブに従って前記給紙機構に複数の前記給紙トレイのうちのいずれかの給紙トレイからシートを給紙させて、前記給紙機構が給紙したシートに前記印刷機構に印刷させる印刷処理と、前記印刷処理を実行している間に、前記センサから出力される検知信号に基づき、前記給紙機構により給紙されている給紙トレイとは異なる他の給紙トレイの移動を検知すると、未完了の前記ジョブに含まれるシート設定を示す情報画像を前記表示機構に表示させる表示処理と、を実行する。
【０００８】
これにより、受け付けたジョブに応じたシート設定を表示することで、ユーザが、未完了のジョブに必要な用紙をセットすることが容易となる。
【発明の効果】
【０００９】
本発明に係る印刷装置によれば、受け付けたジョブに応じたシート設定を表示することで、ユーザが、未完了のジョブに必要な用紙をセットすることが容易となる。
【図面の簡単な説明】
【００１０】
【図１】図１は、本実施の形態１に係る印刷装置の概略構成を示す模式図である。
【図２】図２は、図１に示す印刷装置の内部構造を模式的に示す縦断面図である。
【図３】図３は、図１に示す印刷装置の機能的構成を示すブロック図である。
【図４】図４は、本実施の形態１に係る印刷装置のコントローラが実行する処理の手順を示すフローチャートである。
【図５】図５は、本実施の形態１に係る印刷装置のＥＥＰＲＯＭに記憶される各給紙トレイに対するシート情報が示すシート種類及びシート残量と、印刷装置のコントローラに入力されたジョブの内容と、を示す表である。
【図６】図６は、本実施の形態１における変形例１の印刷装置のコントローラが実行する処理の手順を示すフローチャートである。
【図７Ａ】図７Ａは、本実施の形態２に係る印刷装置のコントローラが実行する処理の手順を示すフローチャートである。
【図７Ｂ】図７Ｂは、本実施の形態２に係る印刷装置のコントローラが実行する処理の手順を示すフローチャートである。
【図８】図８は、本実施の形態２に係る印刷装置のＥＥＰＲＯＭに記憶される各給紙トレイに対するシート情報が示すシート種類及びシート残量と、印刷装置のコントローラに入力されたジョブの内容と、を示す表である。
【図９】図９は、本実施の形態３に係る印刷装置のコントローラが実行する処理の手順を示すフローチャートである。
【発明を実施するための形態】
【００１１】
以下、実施の形態の具体例について図面を参照して説明する。なお、全ての図面において、同一又は相当部分には同一符号を付し、重複する説明は省略する。また、全ての図面において、本発明を説明するために必要となる構成要素を抜粋して図示しており、その他の構成要素については図示を省略している場合がある。さらに、本発明は以下の実施の形態に限定されない。
【００１２】
（実施の形態１）
［印刷装置の構成］
図１は、本実施の形態１に係る印刷装置の概略構成を示す模式図である。図２は、図１に示す印刷装置の内部構造（プリンタ部）を模式的に示す縦断面図である。図３は、図１に示す印刷装置の機能的構成を示すブロック図である。なお、図１及び図２において、印刷装置における上下、左右、及び前後方向を図における上下、左右、及び前後方向として表している。
【００１３】
図１に示すように、本実施の形態１に係る印刷装置１は、プリンタ部１１、表示機構１２、及び操作機構１３を備えていて、シート８１（図２参照）に画像を記録するように構成されている。
【００１４】
プリンタ部１１は、第１給紙トレイ２１Ａ又は第２給紙トレイ２１Ｂから給紙されたシート８１に画像をプリント（記録）し、プリントしたシート８１を排出トレイ２２から排出するように構成されている。以下、図２を参照しながら、プリンタ部１１の構成について、具体的に説明する。
【００１５】
図２に示すように、プリンタ部１１は、第１給紙トレイ２１Ａ、第２給紙トレイ２１Ｂ、排出トレイ２２、プラテン２３、及び印刷機構２４を備えている。第１給紙トレイ２１Ａは、第２給紙トレイ２１Ｂよりも上方に位置している。第１給紙トレイ２１Ａの上方には、プラテン２３が配置されている。プラテン２３の更に上方には、キャリッジ４１及びノズル孔からインクを吐出する吐出ヘッド４２等を有する印刷機構２４が配置されている。また、プラテン２３の前方には、排出トレイ２２が配置されている。
【００１６】
第１給紙トレイ２１Ａ及び第２給紙トレイ２１Ｂの後部から、排出トレイ２２に至るまでに、不図示の部材によってシート搬送路２５が形成されている。このシート搬送路２５は、上方、かつ、前方に向かって湾曲するように形成されている。
【００１７】
また、プリンタ部１１は、給紙機構３１、搬送ローラ部３２、及び排出ローラ部３５を備えている。
【００１８】
給紙機構３１は、第１給紙ローラ部３１Ａ、及び第２給紙ローラ部３１Ｂを備えている。具体的には、第１給紙ローラ部３１Ａは、第１給紙トレイ２１Ａの直上に配置されていて、第１給紙トレイ２１Ａ内のシート８１をシート搬送路２５へ供給するように構成されている。同様に、第２給紙ローラ部３１Ｂは、第２給紙トレイ２１Ｂの直上に配置されていて、第２給紙トレイ２１Ｂ内のシート８１をシート搬送路２５へ供給するように構成されている。なお、給紙機構３１が備える、第１給紙ローラ部３１Ａ、及び第２給紙ローラ部３１Ｂは、後述するコントローラ１００が取得したジョブに応じて、いずれかが駆動される。
【００１９】
搬送ローラ部３２は、搬送ローラ３３及びピンチローラ３４から構成されている。搬送ローラ部３２は、第１給紙ローラ部３１Ａ又は第２給紙ローラ部３１Ｂによってシート搬送路２５に供給されたシート８１を、搬送ローラ３３及びピンチローラ３４によって上下から挟み込む。
【００２０】
排出ローラ部３５は、排出ローラ３６及び拍車ローラ３７から構成されている。排出ローラ部３５は、搬送ローラ部３２によってシート搬送路２５を搬送されるシート８１を、排出ローラ３６及び拍車ローラ３７によって上下から挟み込む。
【００２１】
プリンタ部１１は、第１残量センサ６６Ａ及び第２残量センサ６６Ｂを備えている。第１残量センサ６６Ａ及び第２残量センサ６６Ｂは、それぞれ、対応する第１給紙トレイ２１Ａ及び第２給紙トレイ２１Ｂ内のシートの残量に応じた信号をコントローラ１００に出力するように構成されている。コントローラ１００は、受信した信号に基づいて、各給紙トレイ内のシートの残量を算出する。なお、第１残量センサ６６Ａ及び第２残量センサ６６Ｂは、公知の残量センサ（可変抵抗器を有するセンサ等）を用いることができる。
【００２２】
また、プリンタ部１１は、第１トレイセンサ６５Ａ及び第２トレイセンサ６５Ｂを備えている。第１給紙トレイ２１Ａ及び第２給紙トレイ２１Ｂは、ユーザの操作によって装着位置及び非装着位置との間を移動される。第１トレイセンサ６５Ａ及び第２トレイセンサ６５Ｂは、それぞれ、対応する第１給紙トレイ２１Ａ及び第２給紙トレイ２１Ｂの状態に応じた信号をコントローラ１００に出力するように構成されている。
【００２３】
具体的には、第１給紙トレイ２１Ａがプリンタ部１１に対して装着位置に位置する状態（以下、「装着状態」という）である場合には、第１トレイセンサ６５Ａは、装着状態に対応する信号をコントローラ１００に出力する。一方、第１給紙トレイ２１Ａがプリンタ部１１に対して非装着位置に位置する状態（以下、「非装着状態」という）である場合には、第１トレイセンサ６５Ａは、非装着状態に対応する信号をコントローラ１００に出力する。第２トレイセンサ６５Ｂも同様に、第２給紙トレイ２１Ｂの状態に応じて、装着信号又は非装着信号をコントローラ１００に出力する。
【００２４】
なお、「装着状態」とは、第１給紙トレイ２１Ａ又は第２給紙トレイ２１Ｂが装着位置に位置している状態であり、且つ装着位置に位置する第１給紙トレイ２１Ａ又は第２給紙トレイ２１Ｂに支持されたシート８１が、第１給紙ローラ部３１Ａ又は第２給紙ローラ部３１Ｂにより、シート搬送路２５へ供給可能な状態としてもよい。
【００２５】
また、「非装着状態」とは、第１給紙トレイ２１Ａ又は第２給紙トレイ２１Ｂが非膠着位置に位置している状態であり、且つ非装着位置に位置する第１給紙トレイ２１Ａ又は第２給紙トレイ２１Ｂに支持されたシート８１を、シート搬送路２５へ供給不可能な状態としてもよい。このため、「非装着状態」は、給紙トレイがプリンタ部１１から完全に分離されている必要はなく、例えば、給紙トレイがプリンタ部１１からある程度引出された状態を含んでもよい。
【００２６】
次に、図１〜図３を参照しながら、印刷装置１のプリンタ部１１以外の他の構成について、説明する。
【００２７】
図１に示すように、表示機構１２は、印刷装置１の正面上部（より正確には、排出トレイ２２の上方）に配置されている。表示機構１２は、ユーザに報知すべき情報をメッセージ等を含む情報画像で表示するように構成されている。表示機構１２の具体的な構成は、特に限定されないが、例えば、液晶ディスプレイであってもよく、有機ＥＬディスプレイであってもよい。
【００２８】
なお、本実施の形態１においては、表示機構１２は、複数の表示画面を切り替えることが可能なシングルウィンドウ方式を採用している。また、表示機構１２は、タッチセンサを有していて、操作機構１３を兼用するように構成されている。
【００２９】
操作機構１３は、印刷装置１に対する指示をユーザから受け付ける入力インタフェースであり、本実施の形態１においては、タッチパネルで構成されている。
【００３０】
なお、本実施の形態１においては、操作機構１３は、タッチパネルで構成される形態を採用したが、これに限定されず、印刷装置１の本体から物理的に分離され、かつ、コントローラ１００との間で通信可能なデバイス、例えば、リモコン、携帯電話、又はスマートフォン等で構成される形態を採用してもよい。また、操作機構１３は、印刷装置１の本体に設けられた複数のボタンによって構成される形態を採用してもよい。
【００３１】
また、図３に示すように、コントローラ１００は、第１基板及び第２基板を備えていて、第１基板にはＣＰＵ１０１、ＲＯＭ１０２、ＲＡＭ１０３、及びＥＥＰＲＯＭ１０４が実装され、第２基板にはＡＳＩＣ１０５が実装されている。第１基板及び第２基板の間は、バスにより接続されている。ＡＳＩＣ１０５には、２つのモータドライバＩＣ１０６、１０７と、ヘッドドライバＩＣ１０８と、上述した表示機構１２、操作機構１３、第１トレイセンサ６５Ａ、第２トレイセンサ６５Ｂ、第１残量センサ６６Ａ、及び第２残量センサ６６Ｂと、が接続されている。
【００３２】
ＣＰＵ１０１は、操作機構１３を介してユーザから、又は図示しない通信インタフェースを介して、他の通信装置から、印刷ジョブ（以下、単に「ジョブ」と記載する）の入力を受け付けると、ＲＯＭ１０２に記憶されたプログラムに基づいてジョブ実行の指令をＡＳＩＣ１０５へ出力する。ＡＳＩＣ１０５は、この指令に基づいて各ドライバＩＣ１０６〜１０８を駆動し、印刷処理を実行する。ジョブは、当該ジョブを示すデータがＲＡＭ１０３等に記憶されるが、実行しているジョブが完了した際は、ＲＡＭ１０３からジョブを示すデータが消去されている。
【００３３】
また、ＥＥＰＲＯＭ１０４には、第１給紙トレイ２１Ａ及び第２給紙トレイ２１Ｂ対して、それぞれの給紙トレイに収納されているシート情報が記憶されている。このシート情報は、シート種類とシートの残量を示している。シート種類は、例えば、操作機構１３に対するユーザの操作結果に応じて、ＥＥＰＲＯＭ１０４に記憶される。
【００３４】
また、シート残量は、コントローラ１００が、第１残量センサ６６Ａ及び第２残量センサ６６Ｂから受信した信号に基づいて算出した各給紙トレイ内のシートの残量をＥＥＰＲＯＭ１０４に記憶させる。
【００３５】
例えば、ＥＥＰＲＯＭ１０４には、第１給紙トレイ２１Ａに対しては、Ａ４普通紙が５０枚、を示すシート情報が、第２給紙トレイ２１Ｂに対しては、Ａ３光沢紙が５０枚、を示すシート情報が、ＥＥＰＲＯＭ１０４に記憶されている。つまり、シート情報は、サイズ（Ａ４、Ａ３、Ｌｅｔｔｅｒ等）及び素材（普通紙、光沢紙、ハガキ等）からなるシート種類と、給紙トレイ内のシート残量、を示すものである。
【００３６】
モータドライバＩＣ１０６は、搬送モータ７０を駆動する。搬送モータ７０の駆動によって、第１給紙ローラ部３１Ａ、第２給紙ローラ部３１Ｂ、搬送ローラ部３２、及び排出ローラ部３５が動作する。また、モータドライバＩＣ１０７は、キャリッジモータ７１を駆動する。キャリッジモータ７１の駆動によって、キャリッジ４１が主走査方向へ往復移動する。ヘッドドライバＩＣ１０８は、吐出ヘッド４２を駆動する。吐出ヘッド４２の駆動によって、吐出ヘッド４２からインクが吐出される。
【００３７】
コントローラ１００は、該コントローラ１００に入力された信号に基づき、上記各ドライバＩＣ１０６〜１０８を駆動し、シート８１に画像を印刷する。
【００３８】
［印刷装置の動作］
次に、本実施の形態１に係る印刷装置１の動作について、図１〜図５を参照しながら、説明する。なお、以下の動作は、ジョブを受け付けたコントローラ１００（ＣＰＵ１０１）が、あるプログラムをＲＯＭ１０２から読み出して実行することで実現される。コントローラ１００が上記プログラムを実行すると、コントローラ１００は、各ドライバＩＣ１０６〜１０８等を駆動することで、印刷処理等の各処理を実行する。
【００３９】
図４は、本実施の形態１に係る印刷装置１のコントローラ１００が実行する処理の手順を示すフローチャートである。この図４のフローチャートが示す、コントローラ１００が実行する各処理を示すプログラムは、例えば、ＲＯＭ１０２に記憶されている。
【００４０】
また、図５は、本実施の形態１に係る印刷装置１のＥＥＰＲＯＭ１０４に記憶される各給紙トレイに対するシート情報が示すシート種類及びシート残量と、印刷装置１のコントローラ１００に入力されたジョブの内容と、を示す表である。
【００４１】
図４に示すように、コントローラ１００は、例えば、外部装置から印刷データに対応するジョブを受け付けて（ステップＳ１０１）、受け付けた順、ジョブに従って、印刷処理を開始する（ステップＳ１０２）。受け付けたジョブは、例えばＲＡＭ１０３に記憶される。この印刷処理は、コントローラ１００が、受け付けたジョブ（ＲＡＭ１０３に記憶されるジョブ）に含まれるシート情報と、ＥＥＰＲＯＭ１０４が記憶するシート情報と、が、合致する給紙トレイ（ＥＥＰＲＯＭ１０４が記憶するシート情報を基に、受け付けたジョブに含まれるシート情報を実行することができる給紙トレイを選択し、選択した給紙トレイ）から、給紙機構３１にシート８１を給紙させる処理を含む。また、印刷処理は、コントローラ１００が印刷機構２４に、ジョブが示す画像を給紙されたシート８１に印刷させる処理を含む。
【００４２】
次に、コントローラ１００は、ステップＳ１０１で受け付けたジョブが未完了であるか否かを判断する（ステップＳ１０３）。コントローラ１００は、ステップＳ１０１で受け付けたジョブが完了している場合（ステップＳ１０３でＮｏ）には、本プログラムを終了する。
【００４３】
例えば、コントローラ１００は、ＲＡＭ１０３に蓄積されていたジョブを示すデータが消去された（つまり無くなった）らステップＳ１０３においてＮｏと判断する。ステップＳ１０１で受け付けたジョブが未完了である場合（ステップＳ１０３でＹｅｓ）には、ステップＳ１０４に進む。例えば、コントローラ１００は、ＲＡＭ１０３に依然ジョブを示すデータが残っている場合に、ステップＳ１０３でＹｅｓと判断する。
【００４４】
次に、コントローラ１００は、第２トレイセンサ６５Ｂからの出力に基づいて、第２給紙トレイ２１Ｂの操作を検知しない場合、すなわち、第２トレイセンサ６５Ｂが装着信号を出力している場合（ステップＳ１０４でＮｏ）には、ステップＳ１０３に戻る。一方でコントローラ１００は、第２トレイセンサ６５Ｂからの出力に基づいて、第２給紙トレイ２１Ｂの操作を検知した場合、すなわち、第２トレイセンサ６５Ｂが非装着信号を出力している場合（ステップＳ１０４でＹｅｓ）には、ステップＳ１０５に進む。
【００４５】
ステップＳ１０５では、コントローラ１００は、第２給紙トレイ２１Ｂ内のシートの種類が、未完了のジョブに対応しているか否かを判定する。ここで、ステップＳ１０５の具体的な判定方法について、図５を参照しながら説明する。
【００４６】
図５に示すように、条件例１は、第１給紙トレイ２１Ａに対してはＡ４普通紙が５０枚、第２給紙トレイ２１Ｂに対してはＡ３光沢紙が５０枚、を示すシート情報がＥＥＭＰＲＯＭ１０４に記憶されている例である。また、条件例１では、コントローラ１００が、ステップＳ１０１でジョブＡ（Ａ４普通紙３０枚に画像を印刷するジョブ）とジョブＢ（Ａ３光沢紙２０枚に画像を印刷するジョブ）を受け付けたとする。なお、以下では、コントローラ１００が受け付けたジョブＸに基づく、上記印刷処理を行うことを、コントローラ１００がジョブＸを実行する、と表記する。
【００４７】
条件例１において、コントローラ１００が、ジョブＡを実行中に、すなわち第１給紙トレイ２１Ａにセットされていた用紙（Ａ４普通紙）に対する印刷処理の実行中に、第２給紙トレイ２１Ｂの操作を検知したとする（Ｓ１０４でＹｅｓ）。このとき、ＥＥＰＲＯＭ１０４に記憶されている第２給紙トレイ２１Ｂに対するシート情報は、Ａ３光沢紙が５０枚を示している。また、未完了のジョブＢは、Ａ３光沢紙２０枚に画像を印刷するものである。このため、第２給紙トレイ２１Ｂ内のシートの種類（Ａ３光沢紙）は、未完了のジョブＢに対応している（第２給紙トレイ２１Ｂ内のシートの種類を変更しないで、ジョブを実行することができる）。
【００４８】
一方、条件例２は、第１給紙トレイ２１Ａに対してはＡ４普通紙が５０枚、第２給紙トレイ２１ＢにはＬｅｔｔｅｒ普通紙が３０枚を示すシート情報がＥＥＰＲＯＭ１０４に記憶されている例である。また、条件例２では、コントローラ１００が、ステップＳ１０１でジョブＣ（Ａ４普通紙３０枚に画像を印刷するジョブ）とジョブＤ（Ａ３光沢紙２０枚に画像を印刷するジョブ）を受け付けたとする。
【００４９】
そして、コントローラ１００は、ジョブＣを実行中に、すなわち、第１給紙トレイ２１Ａに収納されていた用紙（Ａ４普通紙）に対する印刷処理の実行中に、第２トレイセンサ６５Ｂが第２給紙トレイ２１Ｂの操作を検知したとする（Ｓ１０４でＹｅｓ）。このとき、ＥＥＰＲＯＭ１０４に記憶されている第２給紙トレイ２１Ｂに対するシート情報は、Ｌｅｔｔｅｒ普通紙が３０枚を示している。また、未完了のジョブＤは、Ａ３光沢紙２０枚に画像を印刷するものである。このため、第２給紙トレイ２１Ｂ内のシートの種類（Ｌｅｔｔｅｒ普通紙）は、未完了のジョブＤに対応していない（第２給紙トレイ２１Ｂ内のシートの種類を変更しなければ、ジョブを実行することができない）。
【００５０】
したがって、上記条件例１の場合では、コントローラ１００は、第２給紙トレイ２１Ｂ内のシートの種類が、未完了のジョブに対応していると判定（ステップＳ１０５でＹｅｓ）し、表示機構１２に第２給紙トレイ２１Ｂ内のシートの変更は不要である旨の表示（例えば、文字、又は絵、又は文字と絵とで、示した画像）を表示させる（ステップＳ１０６）。
【００５１】
なお、ステップＳ１０６の表示例としては、「シート設定の変更は不要です」等である。よりユーザに分かりやすくするには、上記条件例１の場合においては、ジョブＢと第２給紙トレイ２１Ｂ内のシート種類が、合致している旨を、表示してもよい。このような表示形態も、上記の「シートの変更は不要である旨の表示」の一形態とする。さらに上述のような合致している旨の表示と「シート設定の変更は不要です」との表示とを、一度に表示してもよい。
【００５２】
この表示機構１２の表示を見たユーザは、第２給紙トレイ２１Ｂに対するシート情報が既に、ジョブＢを続行するのに必要なシート情報が示すシート種類（具体的には、条件例１の場合では、Ａ３光沢紙）であることができる。つまり、ユーザは、ジョブＢを続行するのに、シートを交換しなくてもよいことを把握することができる。これにより、ユーザは、操作機構１３にシート種類の入力をしない可能性が高くなり、従って第２給紙トレイ２１Ｂに対して適切なシート種類を示すシート情報が、ＥＥＰＲＯＭ１０４に記憶されていることが継続される。
【００５３】
一方、上記条件例２の場合では、コントローラ１００は、第２給紙トレイ２１Ｂ内のシートの種類が、未完了のジョブに対応していないと判定（ステップＳ１０５でＮｏ）し、表示機構１２に第２給紙トレイ２１Ｂ内のシートの変更が必要である旨の表示（例えば、文字、又は絵、又は文字と絵とで、示した画像）を表示させる（ステップＳ１０７）。
【００５４】
なお、ステップＳ１０７の表示例としては、上記条件例２の場合では、「Ａ３  光沢紙をセットして下さい」、又は「Ａ３  光沢紙  ２０枚をセットして下さい」等のようにジョブＤが示すシート設定の内容を表示すればよい。
【００５５】
この表示機構１２の表示を見たユーザは、第２給紙トレイ２１Ｂに対するシート情報として、ジョブＢを続行するのに必要なシート情報が示すシート種類（具体的には、条件例１の場合では、Ａ３光沢紙）を把握することができる。そして、この表示機構１２の表示を見たユーザによって、操作機構１３を介して適切なシート種類が入力され、ＥＥＰＲＯＭ１０４に第２給紙トレイ２１Ｂに対する適切なシート情報が記憶される。
【００５６】
そして、コントローラ１００は、ステップＳ１０６又はステップＳ１０７を実行した後、ステップＳ１０３に戻り、ステップＳ１０１で受け付けたジョブが完了するまで、ステップＳ１０３〜ステップＳ１０７を繰り返し、ステップＳ１０１で受け付けたジョブが完了すると、本プログラムを終了する。
【００５７】
なお、コントローラ１００は、ジョブＡ、Ｃの実行が完了したら、ジョブＢ、Ｄの実行をする。つまり、コントローラ１００は、ジョブＢ、Ｄに含まれるシート情報と合致する、ＥＥＰＲＯＭ１０４が記憶するシート情報が、示すシートが収納されている第２給紙トレイ２１Ｂから、給紙機構３１にシート８１を給紙させる。また、コントローラ１００は、印刷機構２４に、ジョブが示す画像を、給紙されたシート８１に印刷させる。
【００５８】
このように構成された、本実施の形態１に係る印刷装置１では、現在印刷処理がされているシートがセットされている給紙トレイとは異なる給紙トレイが抜き出されたときに、未完了のジョブに対応していない場合にシート設定を表示する。特に上記の、異なる給紙トレイに対するシート設定と、現在印刷処理がされている先行ジョブの次のジョブ（つまり未完了のジョブ）のシート設定が、異なる場合に、未完了のジョブのシート設定を表示する。
【００５９】
これにより、ユーザに、次のジョブの続行に必要なシート設定（つまりシート種類）を知らせることができる。加えて、印刷装置１では、シート設定を見たユーザによって適切なシート種類を示すシート情報が、ＥＥＰＲＯＭ１０４に入力されるため、次のジョブを、例えば、紙切れ、又は、シート情報が異なる理由による印刷の中断を抑制できる。したがって、次のジョブを円滑に実行することができる。
【００６０】
加えて、本実施の形態１に係る印刷装置１では、給紙トレイ内のシート８１が、未完了のジョブに対応している場合に、ユーザが当該給紙トレイを抜き出したときに、シートを変更する必要がない旨の表示を表示機構１２に表示させることにより、ユーザが誤ってシート８１の種類を変更することを抑制することができる。
【００６１】
［変形例１］
次に、本実施の形態１に係る印刷装置１の変形例について説明する。なお、本変形例１の印刷装置１の構成は、実施の形態１に係る印刷装置１と同様の構成であるため、構成の詳細な説明は省略する。
【００６２】
［印刷装置の動作］
図６は、本実施の形態１における変形例１の印刷装置１のコントローラ１００が実行する処理の手順を示すフローチャートである。この図６のフローチャートが示す、コントローラ１００が実行する各処理を示すプログラムは、例えば、ＲＯＭ１０２に記憶されている。
【００６３】
図６に示すように、本変形例１の印刷装置１の動作は、実施の形態１に係る印刷装置１の動作と基本的には同様に実行されるが、ステップＳ１０６に代えて、ステップＳ１０６Ａが実行される点が異なる。
【００６４】
具体的には、コントローラ１００は、第２給紙トレイ２１Ｂ内のシートの種類が、未完了のジョブに対応していると判定した場合（ステップＳ１０５でＹｅｓ）には、表示機構１２に用紙設定変更の表示画面を表示させない（ステップＳ１０６Ａ）。
【００６５】
このように構成された、本変形例１の印刷装置１であっても、実施の形態１に係る印刷装置１と同様の作用効果を奏する。
【００６６】
（実施の形態２）
［印刷装置の動作］
図７Ａ及び図７Ｂは、本実施の形態２に係る印刷装置１のコントローラ１００が実行する処理の手順を示すフローチャートである。この図７Ａ及び図７Ｂのフローチャートが示す、コントローラ１００が実行する各処理を示すプログラムは、例えば、ＲＯＭ１０２に記憶されている。
【００６７】
また、図８は、本実施の形態２に係る印刷装置１のＥＥＰＲＯＭ１０４に記憶される各給紙トレイに対するシート情報が示すシート種類及びシート残量と、印刷装置１のコントローラ１００に入力されたジョブの内容と、を示す表である。なお、本実施の形態２に係る印刷装置１の構成は、実施の形態１に係る印刷装置１と同様の構成であるため、構成の詳細な説明は省略する。
【００６８】
図７Ａ及び図７Ｂに示すように、コントローラ１００は、例えば、外部装置から印刷データに対応するジョブを受け付けて（ステップＳ２０１）、受け付けた順にジョブに従って、印刷処理を開始する（ステップＳ２０２）。
【００６９】
次に、コントローラ１００は、ステップＳ２０１で受け付けたジョブが未完了であるか否かを判断する（ステップＳ２０３）。コントローラ１００は、ステップＳ２０１で受け付けたジョブが完了している場合（ステップＳ２０３でＮｏ）には、本プログラムを終了し、ステップＳ２０１で受け付けたジョブが未完了である場合（ステップＳ２０３でＹｅｓ）には、ステップＳ２０４に進む。なお、コントローラ１００によるステップＳ２０３での判断は、上述した実施の形態１のステップＳ１０３におけるコントローラ１００の判断と同一である。
【００７０】
ステップＳ２０４では、コントローラ１００は、第１残量センサ６６Ａの出力に基づいて、ＥＥＰＲＯＭ１０４に記憶されているシート情報のうち第１給紙トレイ２１Ａ内のシート残量が、現在実行しているジョブに対応しているか（第１給紙トレイ２１Ａ内のシート量の方が、現在実行しているジョブが必要なシート量よりも多いか）否かを判定する。ここで、ステップＳ２０４の具体的な判定方法について、図８を参照しながら説明する。
【００７１】
まず、第１給紙トレイ２１Ａ内のシート量が、現在実行しているジョブに対応している場合の具体例について、説明する。なお、第１給紙トレイ２１Ａ内のシート量が、現在実行しているジョブに対応していない場合の具体例については、後述する。
【００７２】
図８に示すように、条件例３は、第１給紙トレイ２１Ａに対してはＡ４普通紙が５０枚、第２給紙トレイ２１Ｂに対してはＡ３光沢紙が５０枚、を示すシート情報がＥＥＰＲＯＭ１０４に記憶されている例である。また、条件例３では、コントローラ１００が、ステップＳ２０１でジョブＥ（Ａ４普通紙３０枚に画像を印刷するジョブ）とジョブＦ（Ａ３光沢紙１０枚に画像を印刷するジョブ）を受け付けたとする。
【００７３】
この場合、ＥＥＰＲＯＭ１０４に記憶されている第１給紙トレイ２１Ａに対するシート情報の内のシート残量（Ａ４普通紙５０枚）は、現在実行しているジョブＥ（Ａ４普通紙３０枚の印刷）が必要なシート量よりも多い。つまり、第１給紙トレイ２１Ａ内のシート量が、現在実行しているジョブＥに対応している。
【００７４】
また、条件例４は、第１給紙トレイ２１Ａに対してはＡ４普通紙が１００枚、第２給紙トレイ２１Ｂに対してはＬｅｔｔｅｒ普通紙が３０枚、を示すシート情報がＥＥＰＲＯＭ１０４に記憶されている例である。また、条件例４では、コントローラ１００が、ステップＳ２０１でジョブＧ（Ａ４普通紙２０枚に画像を印刷するジョブ）、ジョブＨ（Ａ４普通紙３０枚に画像を印刷するジョブ）、及びジョブＩ（Ａ３光沢紙２０枚に画像を印刷するジョブ）を受け付けたとする。
【００７５】
この場合、ＥＥＰＲＯＭ１０４に記憶されている第１給紙トレイ２１Ａに対するシート情報の内のシート残量（Ａ４普通紙１００枚）は、現在実行しているジョブＧ（Ａ４普通紙２０枚の印刷）が必要なシート量よりも多い。つまり第１給紙トレイ２１Ａ内のシート量が、現在実行しているジョブＧに対応している。
【００７６】
したがって、上記条件例３、４の場合では、コントローラ１００は、第１給紙トレイ２１Ａ内のシート量が、現在実行しているジョブに対応していると判定（ステップＳ２０４でＹｅｓ）し、ステップＳ２０５に進む。
【００７７】
ステップＳ２０５では、ステップＳ１０４同様に、コントローラ１００は、第２給紙トレイ２１Ｂの操作を検知しない場合（ステップＳ２０５でＮｏ）には、ステップＳ２０３に戻る。一方でコントローラ１００は、第２給紙トレイ２１Ｂの操作を検知した場合（ステップＳ２０５でＹｅｓ）には、ステップＳ２０６に進む。
【００７８】
ステップＳ２０６では、コントローラ１００は、第２給紙トレイ２１Ｂ内のシートの種類が、未完了のジョブに対応しているか否かを判定する。ここで、ステップＳ２０４の具体的な判定方法について、上記条件例３及び４を参照しながら説明する。
【００７９】
条件例３の場合、ＥＥＰＲＯＭ１０４に記憶されている第２給紙トレイ２１Ｂに対するシート情報は、Ａ３光沢紙が５０枚、を示している。また、未完了のジョブＦは、Ａ３光沢紙１０枚に画像を印刷するものである。このため、第２給紙トレイ２１Ｂ内のシートの種類（Ａ３光沢紙）は、未完了のジョブＦに対応しているといえる。
【００８０】
一方、条件例４の場合、ＥＥＰＲＯＭ１０４に記憶されている第２給紙トレイ２１Ｂに対するシート情報は、Ｌｅｔｔｅｒ普通紙が３０枚、を示している。また、未完了のジョブＨは、Ａ４普通紙２０枚に画像を印刷するものであり、未完了のジョブＩは、Ａ３光沢紙２０枚に画像を印刷するものである。このため、第２給紙トレイ２１Ｂ内のシートの種類（Ｌｅｔｔｅｒ普通紙）は、未完了のジョブＩに対応していないといえる。
【００８１】
なお、未完了のジョブＨに必要なシート量（３０枚）は、現在実行しているジョブＧが完了した後でも、第１給紙トレイ２１Ａ内にセットされているシート量（１００−２０＝８０枚）よりも少ない。したがって、未完了のジョブＨ（３０枚）は、第１給紙トレイ２１Ａ内にセットされているシートで対応することができる。
【００８２】
したがって、上記条件例３の場合では、コントローラ１００は、第２給紙トレイ２１Ｂ内のシートの種類が、未完了のジョブに対応していると判定（ステップＳ２０６でＹｅｓ）し、表示機構１２に第２給紙トレイ２１Ｂ内のシートの変更は不要である旨の表示を表示させる（ステップＳ２０７）。
【００８３】
なお、ステップＳ２０７の表示例としては、「シート設定の変更は不要です」等である。よりユーザに分かりやすくするには、上記条件例３の場合においては、ジョブＦと第２給紙トレイ２１Ｂ内のシート種類が、合致している旨を、表示してもよい。このような表示形態も、上記の「シートの変更は不要である旨の表示」の一形態とする。さらに上述のような合致している旨の表示と「シート設定の変更は不要です」との表示を、一度に表示してもよい。
【００８４】
この表示機構１２の表示を見たユーザは、第２給紙トレイ２１Ｂに対するシート情報として、ジョブＦを続行するのに必要なシート情報が示すシート種類（具体的には、条件例３の場合では、Ａ３光沢紙）を把握することができる。つまり、ユーザは、ジョブＦを続行するのに、シートを交換しなくてもよいことを把握することができる。これにより、ユーザは、操作機構１３にシート種類の入力をしない可能性が高くなり、従って、第２給紙トレイ２１Ｂに対して適切なシート種類を示すシート情報が、ＥＥＰＲＯＭ１０４に記憶されていることが継続される。
【００８５】
一方、上記条件例４の場合では、コントローラ１００は、第２給紙トレイ２１Ｂ内のシートの種類が、未完了のジョブに対応していないと判定（ステップＳ２０６でＮｏ）し、表示機構１２に第２給紙トレイ２１Ｂ内のシートの変更が必要である旨の表示を表示させる（ステップＳ２０８）。
【００８６】
なお、ステップＳ２０８の表示例としては、上記条件例４の場合では、「Ａ３  光沢紙をセットして下さい」や「Ａ３  光沢紙  ２０枚をセットして下さい」等のようにジョブＩが示すシート設定の内容を表示すればよい。
【００８７】
この表示機構１２の表示を見たユーザは、第２給紙トレイ２１Ｂに対するシート情報として、ジョブＩを続行するのに必要なシート情報が示すシート種類及びシート量（具体的には、条件例４の場合では、Ａ３光沢紙２０枚）を把握することができる。そして、この表示機構１２の表示を見たユーザによって、操作機構１３を介して適切なシート種類が入力され、ＥＥＰＲＯＭ１０４に第２給紙トレイ２１Ｂに対する適切なシート情報が記憶される。
【００８８】
そして、コントローラ１００は、ステップＳ２０７又はステップＳ２０８を実行した後、ステップＳ２０３に戻り、ステップＳ２０１で受け付けたジョブが完了するまで、ステップＳ２０３〜ステップＳ２１２を繰り返し、ステップＳ２０１で受け付けたジョブが完了すると、本プログラムを終了する。
【００８９】
なお、コントローラ１００は、ジョブＥの実行が完了したら、ジョブＦの実行をする。つまり、コントローラ１００は、ジョブＦに含まれるシート情報と合致する、ＥＥＰＲＯＭ１０４が記憶するシート情報が、示すシートが収納されている第２給紙トレイ２１Ｂから、給紙機構３１にシート８１を給紙させる。また、コントローラ１００は、印刷機構２４に、ジョブが示す画像を、給紙されたシート８１に印刷させる。
【００９０】
同様に、コントローラ１００は、ジョブＧ及びＨの実行が完了したら、ジョブＩの実行をする。つまり、コントローラ１００は、ジョブＩに含まれるシート情報と合致する、ＥＥＰＲＯＭ１０４が記憶するシート情報が、示すシートが収納されている第２給紙トレイ２１Ｂから、給紙機構３１にシート８１を給紙させる。また、コントローラ１００は、印刷機構２４に、ジョブが示す画像を、給紙されたシート８１に印刷させる。
【００９１】
次に、ステップＳ２０４において、第１給紙トレイ２１Ａ内のシート量が、現在実行しているジョブに対応していない（つまり、第１給紙トレイ２１Ａ内のシート量が、現在実行しているジョブが必要なシート量よりも少ない）場合の具体例について、図８を参照しながら説明する。
【００９２】
図８に示すように、条件例５は、第１給紙トレイ２１Ａに対してはＡ４普通紙が５０枚、第２給紙トレイ２１Ｂに対してはＡ４普通紙が６０枚、を示すシート情報がＥＥＰＲＯＭ１０４に記憶されている例である。また、条件例５では、コントローラ１００が、ステップＳ２０１でジョブＪ（Ａ４普通紙１００枚に画像を印刷するジョブ）を受け付けたとする。
【００９３】
この場合、ＥＥＰＲＯＭ１０４が記憶している第１給紙トレイ２１Ａに対するシート情報の内のシート残量（Ａ４普通紙５０枚）は、現在実行しているジョブＪ（Ａ４普通紙１００枚の印刷）が必要なシート量よりも少ない。つまり、第１給紙トレイ２１Ａ内のシート量が、現在実行しているジョブＪに対応していない。
【００９４】
また、条件例６は、第１給紙トレイ２１Ａに対してはＡ４普通紙が５０枚、第２給紙トレイ２１Ｂに対してはＡ３光沢紙が５０枚、を示すシート情報がＥＥＰＲＯＭ１０４に記憶されている例である。また、条件例６では、コントローラ１００が、ステップＳ２０１でジョブＫ（Ａ４普通紙７０枚に画像を印刷するジョブ）を受け付けたとする。
【００９５】
この場合、ＥＥＰＲＯＭ１０４が記憶している第１給紙トレイ２１Ａに対するシート情報の内のシート残量（Ａ４普通紙５０枚）は、現在実行しているジョブＫ（Ａ４普通紙７０枚の印刷）が必要なシート量よりも少ない。つまり第１給紙トレイ２１Ａ内のシート量が、現在実行しているジョブＫに対応していない。
【００９６】
したがって、上記条件例５、６の場合では、コントローラ１００は、第１給紙トレイ２１Ａ内のシート量が、現在実行しているジョブに対応していないと判定（ステップＳ２０４でＮｏ）し、ステップＳ２０９に進む。
【００９７】
ステップＳ２０９では、コントローラ１００は、第２トレイセンサ６５Ｂからの出力に基づいて、第２給紙トレイ２１Ｂの操作を検知しない場合（ステップＳ２０９でＮｏ）には、ステップＳ２０３に戻る。一方でコントローラ１００は、第２トレイセンサ６５Ｂからの出力に基づいて、第２給紙トレイ２１Ｂの操作を検知した場合（ステップＳ２０９でＹｅｓ）には、ステップＳ２１０に進む。
【００９８】
ステップＳ２１０では、コントローラ１００は、第２給紙トレイ２１Ｂ内のシートの種類が、現在実行しているジョブに対応しているか否かを判定する。ここで、ステップＳ２１０の具体的な判定方法について、上記条件例５及び６を参照しながら説明する。
【００９９】
条件例５の場合、ＥＥＰＲＯＭ１０４に記憶されている第２給紙トレイ２１Ｂに対するシート情報は、Ａ４普通紙が６０枚、を示している。また、現在実行しているジョブＪは、Ａ４普通紙１００枚に画像を印刷するものである。このため、第２給紙トレイ２１Ｂ内のシートの種類（Ａ４普通紙）は、現在実行しているジョブＪ（Ａ４普通紙）に対応している。
【０１００】
一方、条件例６の場合、ＥＥＰＲＯＭ１０４に記憶されている第２給紙トレイ２１Ｂに対応するシート情報は、Ａ３光沢紙が５０枚、を示している。また、現在実行しているジョブＫは、Ａ４普通紙７０枚に画像を印刷するものである。このため、第２給紙トレイ２１Ｂ内のシートの種類（Ａ３光沢紙）は、現在実行しているジョブＫ（Ａ４普通紙）に対応していない。
【０１０１】
したがって、上記条件例５の場合では、コントローラ１００は、第２給紙トレイ２１Ｂ内のシートの種類が、現在実行しているジョブに対応していると判定（ステップＳ２１０でＹｅｓ）し、表示機構１２に第２給紙トレイ２１Ｂ内のシートの変更は不要である旨の表示を表示させる（ステップＳ２１１）。
【０１０２】
なお、ステップＳ２１１の表示例としては、「シート設定の変更は不要です」等である。よりユーザに分かりやすくするには、上記条件例５の場合においては、ジョブＪと第２給紙トレイ２１Ｂ内のシート種類が、合致している旨を、表示してもよい。このような表示形態も、上記の「シートの変更は不要である旨の表示」の一形態とする。さらに上述のような合致している旨の表示と「シート設定の変更は不要です」との表示を、一度に表示してもよい。
【０１０３】
この表示機構１２の表示を見たユーザは、第２給紙トレイ２１Ｂに対するシート情報として、ジョブＪを続行するのに必要なシート情報が示すシート種類及びシート量（具体的には、条件例５の場合では、Ａ４普通紙１００枚）を把握することができる。つまり、ユーザは、ジョブＪを続行するのに、シートを交換しなくてもよいことを把握することができる。これにより、ユーザは、操作機構１３にシート種類の入力をしない可能性が高くなり、従って、第２給紙トレイ２１Ｂに対して適切なシート種類を示すシート情報が、ＥＥＰＲＯＭ１０４に記憶されていることが継続される。
【０１０４】
一方、上記条件例６の場合では、コントローラ１００は、第２給紙トレイ２１Ｂ内のシートの種類が、現在実行しているジョブに対応していないと判定（ステップＳ２１０でＮｏ）し、表示機構１２に第２給紙トレイ２１Ｂ内のシートの変更が必要である旨の表示を表示させる（ステップＳ２１２）。
【０１０５】
なお、ステップＳ２１２の表示例としては、上記条件例６の場合では、「Ａ４  普通紙をセットして下さい」又は「Ａ４  普通紙  ２０枚をセットして下さい」等のようにジョブＪが示すシート設定の内容を表示すればよい。後者のシート量も表示する場合、このシート量は、ジョブＪが必要なシート量（７０枚）から、ＥＥＰＲＯＭ１０４に記憶されている第１給紙トレイ２１Ａに対するシート情報の内のシート残量（５０枚）を減算してものを表示する。加えて、コントローラ１００は、未完了のジョブが複数ある場合には、最も早期に受信したジョブに含まれるシート設定を示す情報画像を表示機構１２に表示させるように構成されている。
【０１０６】
この表示機構１２の表示を見たユーザは、第２給紙トレイ２１Ｂに対するシート情報として、ジョブＫを続行するのに必要なシート情報が示すシート種類及びシート量（具体的には、条件例６の場合では、Ａ４普通紙２０枚（７０枚−５０枚））を把握することができる。そして、この表示機構１２の表示を見たユーザによって、操作機構１３を介して適切なシート種類が入力され、ＥＥＰＲＯＭ１０４に第２給紙トレイ２１Ｂに対する適切なシート情報が記憶される。
【０１０７】
そして、コントローラ１００は、ステップＳ２１１又はステップＳ２１２を実行した後、ステップＳ２０３に戻り、ステップＳ２０１で受け付けたジョブが完了するまで、ステップＳ２０３〜ステップＳ２１２を繰り返し、ステップＳ２０１で受け付けたジョブが完了すると、本プログラムを終了する。
【０１０８】
なお、コントローラ１００は、ジョブＪ、Ｋの実行中、第１給紙トレイ２１Ａのシート８１が無くなった場合に、第２給紙トレイ２１Ｂから給紙機構３１（より詳細には第２給紙ローラ部３１Ｂ）に給紙させ、ジョブＪ、Ｋの実行を継続する。つまり、コントローラ１００は、ジョブＪ、Ｋに含まれるシート情報と合致する、ＥＥＰＲＯＭ１０４が記憶するシート情報が、示すシートが収納されている第２給紙トレイ２１Ｂから、給紙機構３１にシート８１を給紙させる。また、コントローラ１００は、印刷機構２４に、ジョブが示す画像を、給紙されたシート８１に印刷させる。
【０１０９】
このように構成された、本実施の形態２に係る印刷装置１であっても、実施の形態１に係る印刷装置１と同様に未完了のジョブを円滑に実行することができる。
【０１１０】
特に、実行中のジョブが必要なシートがセットされている給紙トレイのシート量では、実行中のジョブを完遂できず、かつ、上記の給紙トレイとは異なる給紙トレイのシートの種類が実行中のジョブに対応していときに、ユーザが上記の異なる給紙トレイを抜き出したときに、シートを変更する必要がある旨の表示を表示機構１２に表示させる。これにより、実行中のジョブを中断することを抑制することができる。
【０１１１】
また、本実施の形態２に係る印刷装置１では、実行中のジョブが必要なシートがセットされている給紙トレイのシート量では、完遂できず、かつ、上記の異なる給紙トレイシートの種類が、実行中のジョブに対応するときに、ユーザが上記の異なる給紙トレイを抜き出したときに、シートを変更する必要がない旨の表示を表示機構１２に表示させる。これにより、ユーザが誤ってシートの種類を変更することを抑制することができる。
【０１１２】
（実施の形態３）
［印刷装置の動作］
図９は、本実施の形態３に係る印刷装置１のコントローラ１００が実行する処理の手順を示すフローチャートである。この図９のフローチャートが示す、コントローラ１００が実行する各処理を示すプログラムは、例えば、ＲＯＭ１０２に記憶されている。なお、本実施の形態３に係る印刷装置１の構成は、実施の形態１に係る印刷装置１と同様の構成であるため、構成の詳細な説明は省略する。
【０１１３】
図９に示すように、コントローラ１００は、例えば、外部装置から印刷データに対応するジョブを受け付けて（ステップＳ３０１）、受け付けた順にジョブに従って、印刷処理を開始する（ステップＳ３０２）。
【０１１４】
次に、コントローラ１００は、ステップＳ３０１で受け付けたジョブが未完了であるか否かを判断する（ステップＳ３０３）。コントローラ１００は、ステップＳ３０１で受け付けたジョブが完了している場合（ステップＳ３０３でＮｏ）には、本プログラムを終了し、ステップＳ３０１で受け付けたジョブが未完了である場合（ステップＳ３０３でＹｅｓ）には、ステップＳ３０４に進む。なお、コントローラ１００によるステップＳ３０３での判断は、上述した実施の形態１のステップＳ１０３におけるコントローラ１００の判断と同一である。
【０１１５】
ステップＳ３０４では、コントローラ１００は、第１残量センサ６６Ａからの出力信号に基づき、第１給紙トレイ２１Ａ内のシート量が、０であるか否かを判定する。コントローラ１００は、第１給紙トレイ２１Ａ内のシート量が、０ではない場合（ステップＳ３０４でＮｏ）には、ステップＳ３０３に戻る。一方、コントローラ１００は、第１給紙トレイ２１Ａ内のシート量が、０である場合（例えば、シート８１が無くなった場合；ステップＳ３０４でＹｅｓ）には、第２給紙トレイ２１Ｂからシート８１を給紙させる（ステップＳ３０５）。
【０１１６】
次に、コントローラ１００は、第１トレイセンサ６５Ａからの出力に基づいて第１給紙トレイ２１Ａの操作を検知しない場合、すなわち、第１トレイセンサ６５Ａが装着信号を出力している場合（ステップＳ３０６でＮｏ）には、ステップＳ３０３に戻る。一方、コントローラ１００は、第１トレイセンサ６５Ａからの出力に基づいて、第１給紙トレイ２１Ａの操作を検知した場合、すなわち、第１トレイセンサ６５Ａが非装着信号を出力している場合（ステップＳ３０６でＹｅｓ）には、ステップＳ３０７に進む。
【０１１７】
ステップＳ３０７では、コントローラ１００は、表示機構１２に第１給紙トレイ２１Ａ内のシートの変更が必要である旨の表示を表示させる。具体的には、コントローラ１００は、未完了のジョブが複数ある場合には、最も早期に受信したジョブに含まれるシート設定を示す情報画像を表示機構１２に表示させる。
【０１１８】
そして、コントローラ１００は、ステップＳ３０７を実行した後、ステップＳ３０３に戻り、ステップＳ３０１で受け付けたジョブが完了するまで、ステップＳ３０３〜ステップＳ３０７を繰り返し、ステップＳ３０１で受け付けたジョブが完了すると、本プログラムを終了する。
【０１１９】
このように構成された、本実施の形態３に係る印刷装置１であっても、実施の形態１に係る印刷装置１と同様に未完了のジョブを円滑に実行することができる。
【０１２０】
なお、本発明において、未完了のジョブとは、ＲＡＭ１０３に蓄積されているジョブをいい、現在実行しているジョブであってもよく、現在実行しているジョブより後で実行されるジョブであってもよい。
【０１２１】
また、上記説明において、印刷装置１は、第１給紙トレイ２１Ａと第２給紙トレイ２１Ｂの２つの給紙トレイを有していたが、３つ以上の給紙トレイを有していてもよい。また、上記説明において、第１給紙トレイ２１Ａのシートに対する印刷処理の実行中に、第２給紙トレイ２１Ｂの操作を検知した場合を説明したが、第２給紙トレイ２１Ｂのシートに対する印刷処理の実行中に、第１給紙トレイ２１Ａの操作を検知した場合でも、本発明を適用できる。
【０１２２】
上記説明から、当業者にとっては、本発明の多くの改良や他の実施形態が明らかである。したがって、上記説明は、例示としてのみ解釈されるべきであり、本発明を実行する最良の態様を当業者に教示する目的で提供されたものである。本発明の要旨を逸脱することなく、その構造及び／又は機能の詳細を実質的に変更できる。また、上記実施形態に開示されている複数の構成要素の適宜な組合せにより種々の発明を形成できる。
【符号の説明】
【０１２３】
１  印刷装置
１１  プリンタ部
１２  表示機構
１３  操作機構
２１Ａ  第１給紙トレイ
２１Ｂ  第２給紙トレイ
３１  給紙機構
６５Ａ  第１トレイセンサ
６５Ｂ  第２トレイセンサ
６６Ａ  第１残量センサ
６６Ｂ  第２残量センサ
１００  コントローラ
１０１  ＣＰＵ
１０２  ＲＯＭ
１０３  ＲＡＭ
１０４  ＥＥＰＲＯＭ
【図１】
0006435963.tif 000002
【図２】
0006435963.tif 000003
【図３】
0006435963.tif 000004
【図４】
0006435963.tif 000005
【図５】
0006435963.tif 000006
【図６】
0006435963.tif 000007
【図７Ａ】
0006435963.tif 000008
【図７Ｂ】
0006435963.tif 000009
【図８】
0006435963.tif 000010
【図９】
0006435963.tif 000011